(57)【要約】【課題】本発明は、作業性の向上を目的とした分電盤を提供する。【解決手段】本発明に係る分電盤６において、枠体８をキャビネット本体１に取り付けるための取り付け金具１１は、断面略コ字状に形成すると共に、キャビネット本体の内側に位置する端面にフランジ部１４を設け、フランジ部１４に覆い立て金具１０を取り付けるための固定穴１６を設け、枠体８をキャビネット本体１に取り付けた状態で、固定穴１６に覆い立て金具１０を取り付け可能とした。【選択図】図３
2010119233.tif 000002
【特許請求の範囲】
【請求項１】
各種電気機器を具備する分電盤であって、少なくとも、前面に開口を有するキャビネット本体と、前記開口全周を被覆する枠体と、前記開口全体を被覆する配線覆いとから構成され、該配線覆いは覆い立て金具により支持される分電盤において、前記枠体を前記キャビネット本体に取り付けるための取り付け金具は、断面略コ字状に形成すると共に、前記キャビネット本体の内側に位置する端面にフランジ部を設け、該フランジ部に前記覆い立て金具を取り付けるための固定穴を設け、前記枠体を前記キャビネット本体に取り付けた状態で、前記固定穴に前記覆い立て金具を取り付け可能としたことを特徴とする分電盤。
【発明の詳細な説明】
【技術分野】
【０００１】
本発明は、各種電気機器を具備する分電盤であって、少なくとも、前面に開口を有するキャビネット本体と、開口全周を被覆する枠体と、開口全体を被覆する配線覆いとから構成され、配線覆いは覆い立て金具により支持される分電盤に関するものである。
【背景技術】
【０００２】
キャビネット本体の前面には開口が設けられ、開口周縁部には、扉体を接続するための枠体が取り付けられている。パネル等に主幹ブレーカや分岐ブレーカ等の電気機器を配列し、そのパネルをキャビネット本体に収納して分電盤が構成される。電気機器間は導体で接続されており、この部分は充電部と呼ばれている。充電部への塵埃等の侵入を防ぐため、キャビネット本体の開口部は配線覆いで施蓋される。
【０００３】
図４に示すように、キャビネット本体３１の開口３２周縁部に断面略Ｌ字状の取り付け金具３３を溶接していた。取り付け金具３３には、枠体取り付け用ねじ穴３４と、覆い立て金具取り付け用ねじ穴３５とを設け、一つの取り付け金具３３で、枠体３６と覆い立て金具３７とをそれぞれ取り付けていた。
【特許文献１】特開平９−１４９５１１号公報
【発明の開示】
【発明が解決しようとする課題】
【０００４】
しかしながら、上記取り付け金具では、覆い立て金具を取り付けるには、枠体を外す必要があり、その作業は大変手間がかかっていた。覆い立て金具に支持される配線覆いが、開口を確実に被覆するように、覆い立て金具の位置調整を行う場合がある。分電盤を設置した後に、このような覆い立て金具の位置調整をする場合、枠体を外してからでないと、覆い立て金具を動かすことができないため、作業時間がかかるという欠点があった。
【０００５】
また、図４に示す取り付け金具は断面略Ｌ字状に形成されており、この取り付け金具に枠体を固定する場合、ねじを締め付けると、取り付け金具が上方に引っ張られ、その状態の取り付け金具に覆い立て金具を取り付けると、配線覆いが閉まらなくなる虞があった。
【課題を解決するための手段】
【０００６】
そこで本発明は、作業性の向上を目的とした分電盤を提供するために、枠体をキャビネット本体に取り付けるための取り付け金具は、断面略コ字状に形成すると共に、キャビネット本体の内側に位置する端面にフランジ部を設け、フランジ部に覆い立て金具を取り付けるための固定穴を設け、枠体をキャビネット本体に取り付けた状態で、固定穴に覆い立て金具を取り付け可能とした。
【発明の効果】
【０００７】
本発明に係る分電盤は、枠体をキャビネットに取り付けるための取り付け金具は、断面略コ字状に形成すると共に、キャビネットの内側に位置する端面にフランジ部を設け、フランジ部に覆い立て金具を取り付けるための固定穴を設け、枠体をキャビネット本体に取り付けた状態で、固定穴に覆い立て金具を取り付け可能としたため、枠体取り付け用ねじ穴と覆い立て金具取り付け用ねじ穴とを離れ、覆い立て金具の取り付けは、枠体が取り付けられた状態で行えるため、作業性が向上する。また、分電盤設置後の覆い立て金具の位置調整も枠体が取り付けられた状態で行える。また、取り付け金具は断面略コ字状に形成されているため、強度が増し、枠体を取り付ける際にねじを締め付けても、取り付け金具が変形しにくいため、配線覆いの取り付け位置が定まっているため、確実に開口を被覆することができる。
【発明を実施するための最良の形態】
【０００８】
本発明に係る配線覆いの取り付け金具を図１〜図３の添付図面に基いて説明する。
【０００９】
キャビネット本体１は前面に開口２を有し、パネル３等に主幹ブレーカ４や分岐ブレーカ５を配列し、このパネル３をキャビネット本体１に固定して分電盤６を構成する。キャビネット本体１の前面には、扉体７をキャビネット本体１に取り付けるための枠体８が設けられる。
【００１０】
キャビネット本体１の前面開口２は、配線覆い９で施蓋することで、キャビネット本体１内部への塵埃の侵入を防いでいる。配線覆い９はキャビネット本体１に設けられる覆い立て金具１０により支持される。
【００１１】
キャビネット本体１の開口２周縁部に、枠体８を固定するための取り付け金具１１を設ける。取り付け金具１１は、断面略コ字状に枠体取り付け部１２と折曲部１３とを形成している。取り付け金具１１は折曲部１３をキャビネット本体１の内側に向けて溶接等により取り付け、折曲部１３のキャビネット本体１の開口側端部には、フランジ部１４を形成している。
【００１２】
取り付け金具１１の枠体取り付け部１２には、枠体８をねじ止めするためのねじ穴１５を設ける。また、フランジ部１４には、配線覆い９を支持する覆い立て金具１０を固定するための固定穴１６を設ける。覆い立て金具１０は、固定部１７と支持部１８とで構成され、固定部１７には止め穴１９を設け、この止め穴１９を、固定部１７を取り付け金具１１のフランジ部１４に設けられた固定穴１６に合わせてねじ２０によりねじ止めしたときに、支持部１８は、キャビネット本体１の内側に向かって延設する形となる。支持部１８の先端には、配線覆い９を掛けるための支持片２１を設ける。
【００１３】
枠体８の内側に折られた部分には、キャビネット本体１に溶着された取り付け金具１１に設けられたねじ穴１５に対向する位置に挿通孔２２を設ける。ねじ穴１５に挿通孔２２を合わせてねじ２３により枠体８をキャビネット本体１に固定する。
【００１４】
枠体８をキャビネット本体１に取り付けるためのねじ穴１５と、キャビネット本体１の開口２を施蓋する配線覆い９を支持する覆い立て金具１０を固定する固定穴１６との位置を離し、取り付け方向も変えることで、キャビネット本体１に枠体８を取り付けた状態で、覆い立て金具１０の取り付け取り外しや、配線覆い９の取り付け位置を調整するための覆い立て金具１０の移動を行う。
【図面の簡単な説明】
【００１５】
【図１】本発明に係る分電盤の扉体を透視した状態の正面図、扉体を閉めた状態の右側断面図と下側断面図である。
【図２】本発明に係る分電盤を示す説明図である。
【図３】図１における分電盤の要部拡大分解図である。
【図４】従来の分電盤を示す説明図である。
【符号の説明】
【００１６】
１    キャビネット本体
２    開口
３    パネル
４    主幹ブレーカ
５    分岐ブレーカ
６    分電盤
７    扉体
８    枠体
９    配線覆い
１０  覆い立て金具
１１  取り付け金具
１２  枠体取り付け部
１３  折曲部
１４  フランジ部
１５  ねじ穴
１６  固定穴
１７  固定部
１８  支持部
１９  止め穴
２０  ねじ
２１  支持片
２２  挿通孔
２３  ねじ
【図１】
2010119233.tif 000003
【図２】
2010119233.tif 000004
【図３】
2010119233.tif 000005
【図４】
2010119233.tif 000006